(57)【要約】  本出願の実施例は、異なるサブ搬送波間隔を使用して基準信号とデータを伝送し、同じサブ搬送波間隔を有する基準信号を使用する、異なるサブ搬送波間隔を有するデータをサポートすることができ、基準信号間の干渉を抑制し、チャネル推定の複雑さを低減し、それによって通信性能を向上することができる、情報伝送方法及び装置を提供する。該方法は、第一の送信側が第一の時間周波数領域内において、第一のシンボルで、第一のサブ搬送波間隔を使用して基準信号である第一の信号を送信することと、前記第一の送信側が前記第一の時間周波数領域内において、第二のシンボルで、第二のサブ搬送波間隔を使用してデータ信号又は制御信号である第二の信号を送信することとを含み、ここで、前記第一のサブ搬送波間隔が前記第二のサブ搬送波間隔と異なり、前記第一の時間周波数領域のサイズがデータ信号の最小時間周波数スケジューリング単位のサイズである。
2019523571.tif 000002
【特許請求の範囲】
【請求項１】
情報伝送方法であって、
第一の送信側が第一の時間周波数領域内において、第一のシンボルで、第一のサブ搬送波間隔を使用して基準信号である第一の信号を送信することと、
前記第一の送信側が前記第一の時間周波数領域内において、第二のシンボルで、第二のサブ搬送波間隔を使用してデータ信号又は制御信号である第二の信号を送信することとを含み、ここで、
前記第一のサブ搬送波間隔が前記第二のサブ搬送波間隔と異なり、前記第一の時間周波数領域のサイズがデータ信号の最小時間周波数スケジューリング単位のサイズである、情報伝送方法。
【請求項２】
前記第一の信号は前記第二の信号を復調するために受信側によって使用されることを特徴とする
請求項１に記載の方法。
【請求項３】
前記第一の送信側が第一の時間周波数領域内において、第一のシンボルで、第一のサブ搬送波間隔を使用して第一の信号を送信することは、前記第一の送信側が前記第一の時間周波数領域内において、第一のセルを介し、前記第一のシンボルで、前記第一のサブ搬送波間隔を使用して前記第一の信号を送信することを含み、
前記第一の送信側が前記第一の時間周波数領域内において、第二のシンボルで、第二のサブ搬送波間隔を使用して第二の信号を送信することは、前記第一の送信側が前記第一の時間周波数領域内において、前記第一のセルを介し、前記第二のシンボルで、前記第二のサブ搬送波間隔を使用して前記第二の信号を送信することを含み、
前記方法はさらに、前記第一の送信側が第二の時間周波数領域内において、第三のシンボルで、第二のセルを介して前記第一のサブ搬送波間隔を使用して基準信号である第三の信号を送信することと、前記第一の送信側が前記第二の時間周波数領域内において、第四のシンボルで、前記第二のセルを介し、第三のサブ搬送波間隔を使用してデータ信号又は制御信号である第四の信号を送信することとを含み、
ここで、前記第二のサブ搬送波間隔が前記第三のサブ搬送波間隔と異なり、前記第一のセルが前記第二のセルと異なり、
前記第一の時間周波数領域と前記第二の時間周波数領域は時間領域が同じで、周波数領域が同じ又は隣接し、前記第二の時間周波数領域のサイズがデータ信号の最小時間周波数スケジューリング単位のサイズであることを特徴とする
請求項１又は２に記載の方法。
【請求項４】
前記第一の送信側が第一の時間周波数領域内において、第一のシンボルで、第一のサブ搬送波間隔を使用して第一の信号を送信することは、前記第一の送信側が前記第一の時間周波数領域内において、第一のセルを介し、前記第一のシンボルで、前記第一のサブ搬送波間隔を使用して前記第一の信号を送信することを含み、
前記第一の送信側が前記第一の時間周波数領域内において、第二のシンボルで、第二のサブ搬送波間隔を使用して第二の信号を送信することは、前記第一の送信側が前記第一の時間周波数領域内において、前記第一のセルを介し、前記第二のシンボルで、前記第二のサブ搬送波間隔を使用して前記第二の信号を送信することを含み、
前記方法はさらに、
前記第一の送信側が第三の時間周波数領域内において、第五のシンボルで、前記第一のセルを介して前記第一のサブ搬送波間隔を使用して基準信号である第五の信号を送信することと、
前記第一の送信側が前記第三の時間周波数領域内において、第六のシンボルで、前記第一のセルを介し、第四のサブ搬送波間隔を使用してデータ信号又は制御信号である第六の信号を送信することとを含み、
ここで、前記第二のサブ搬送波間隔が前記第四のサブ搬送波間隔と異なり、
前記第一の時間周波数領域と前記第三の時間周波数領域は時間領域が同じで、周波数領域が異なり、前記第三の時間周波数領域のサイズがデータ信号の最小時間周波数スケジューリング単位のサイズであることを特徴とする
請求項１又は２に記載の方法。
【請求項５】
前記方法はさらに、
第二の送信側が第四の時間周波数領域内において、第七のシンボルで、前記第一のサブ搬送波間隔を使用して基準信号である第七の信号を送信することと、
前記第二の送信側が前記第四の時間周波数領域内において、第八のシンボルで、第五のサブ搬送波間隔を使用してデータ信号又は制御信号である第八の信号を送信することとを含み、
ここで、前記第一のサブ搬送波間隔が前記第五のサブ搬送波間隔と異なり、
ここで、前記第一の時間周波数領域と前記第四の時間周波数領域は時間領域が同じであり、前記第一の時間周波数領域と前記第四の時間周波数領域は時間領域が同じであり、周波数領域が同じ又は隣接し、及び／又は、前記第一の送信側と前記第二の送信側が同じセルに位置し、前記第四の時間周波数領域のサイズがデータ信号又は制御信号の最小時間周波数スケジューリング単位のサイズであることを特徴とする
請求項１又は２に記載の方法。
【請求項６】
データ信号又は制御信号は異なるサブ搬送波間隔に対応することを特徴とする
請求項１乃至５のいずれか一項に記載の方法。
【請求項７】
前記方法はさらに、
前記第一の時間周波数領域内において、前記第一のシンボルで、前記第一のサブ搬送波間隔によってデータ信号又は制御信号である第九の信号を送信することを含むことを特徴とする
請求項１乃至６のいずれか一項に記載の方法。
【請求項８】
前記第九の信号と前記第一の信号は周波数領域において交差して配列されることを特徴とする
請求項７に記載の方法。
【請求項９】
情報伝送方法であって、
受信側が第一の時間周波数領域内において、第一のシンボルで、第一のサブ搬送波間隔を使用して送信された基準信号である第一の信号を受信することと、
前記受信側が前記第一の時間周波数領域内において、第二のシンボルで、第二のサブ搬送波間隔を使用して送信されたデータ信号又は制御信号である第二の信号を受信することとを含み、ここで、
前記第一のサブ搬送波間隔が前記第二のサブ搬送波間隔と異なり、前記第一の時間周波数領域のサイズがデータ信号又は制御信号の最小時間周波数スケジューリング単位のサイズである、情報伝送方法。
【請求項１０】
前記方法はさらに、
前記受信側が前記第一の信号を使用して前記第二の信号を復調することを含むことを特徴とする
請求項９に記載の方法。
【請求項１１】
前記受信側が第一の時間周波数領域内において、第一のシンボルで、第一のサブ搬送波間隔を使用して送信された第一の信号を受信することは、前記受信側が前記第一の時間周波数領域内において、第一のセルを介し、前記第一のシンボルで、前記第一のサブ搬送波間隔を使用して送信された前記第一の信号を受信することを含み、
前記受信側が前記第一の時間周波数領域内において、第二のシンボルで、第二のサブ搬送波間隔を使用して送信された第二の信号を受信することは、前記受信側が前記第一の時間周波数領域内において、前記第一のセルを介し、前記第二のシンボルで、前記第二のサブ搬送波間隔を使用して送信された前記第二の信号を受信することを含み、
前記方法はさらに前記受信側が第二の時間周波数領域内において、第三のシンボルで、第二のセルを介し、前記第一のサブ搬送波間隔を使用して送信された基準信号である第三の信号を受信することと、前記受信側が前記第二の時間周波数領域内において、第四のシンボルで、前記第二のセルを介し、第三のサブ搬送波間隔を使用して送信されたデータ信号又は制御信号である第四の信号を受信することとを含み、
ここで、前記第二のサブ搬送波間隔が前記第三のサブ搬送波間隔と異なり、前記第一のセルが前記第二のセルと異なり、
前記第一の時間周波数領域と前記第二の時間周波数領域は時間領域が同じで、周波数領域が同じ又は隣接し、前記第二の時間周波数領域のサイズがデータ信号又は制御信号の最小時間周波数スケジューリング単位のサイズであることを特徴とする
請求項９又は１０に記載の方法。
【請求項１２】
前記受信側が第一の時間周波数領域内において、第一のシンボルで、第一のサブ搬送波間隔を使用して送信された第一の信号を受信することは、前記受信側が前記第一の時間周波数領域内において、第一のセルを介し、前記第一のシンボルで、前記第一のサブ搬送波間隔を使用して送信された前記第一の信号を受信することを含み、
前記受信側が前記第一の時間周波数領域内において、第二のシンボルで、第二のサブ搬送波間隔を使用して送信された第二の信号を受信することは、前記受信側が前記第一の時間周波数領域内において、前記第一のセルを介し、前記第二のシンボルで、前記第二のサブ搬送波間隔を使用して送信された前記第二の信号を受信することを含み、
前記方法はさらに、
前記受信側が第三の時間周波数領域内において、第五のシンボルで、前記第一のセルを介し、前記第一のサブ搬送波間隔を使用して送信された基準信号である第五の信号を受信することと、
前記受信側が前記第三の時間周波数領域内において、第六のシンボルで、前記第一のセルを介し、第四のサブ搬送波間隔を使用して送信されたデータ信号又は制御信号である第六の信号を受信することとを含み、
ここで、前記第二のサブ搬送波間隔が前記第四のサブ搬送波間隔と異なり、
前記第一の時間周波数領域と前記第三の時間周波数領域は時間領域が同じであり、周波数領域が異なり、前記第三の時間周波数領域のサイズがデータ信号又は制御信号の最小時間周波数スケジューリング単位のサイズであることを特徴とする
請求項９又は１０に記載の方法。
【請求項１３】
情報伝送装置であって、
基準信号である第一の信号及びデータ信号又は制御信号である第二の信号を取得するように構成される処理ユニットと、
第一の時間周波数領域内において、第一のシンボルで、第一のサブ搬送波間隔を使用して前記第一の信号を送信し、前記第一の時間周波数領域内において、第二のシンボルで、第二のサブ搬送波間隔を使用して第二の信号を送信するように構成される送信ユニットとを備え、ここで、
前記第一のサブ搬送波間隔が前記第二のサブ搬送波間隔と異なり、前記第一の時間周波数領域のサイズがデータ信号の最小時間周波数スケジューリング単位のサイズである、情報伝送装置。
【請求項１４】
前記第一の信号は前記第二の信号を復調するために受信側によって使用されることを特徴とする
請求項１３に記載の装置。
【請求項１５】
前記処理ユニットはさらに基準信号である第三の信号とデータ信号又は制御信号である第四の信号を取得するように構成され、
前記送信ユニットはさらに、
前記第一の時間周波数領域内において、第一のセルを介し、前記第一のシンボルで、前記第一のサブ搬送波間隔を使用して前記第一の信号を送信し、
前記第一の時間周波数領域内において、前記第一のセルを介し、前記第二のシンボルで、前記第二のサブ搬送波間隔を使用して前記第二の信号を送信し、
第二の時間周波数領域内において、第三のシンボルで、第二のセルを介して前記第一のサブ搬送波間隔を使用して前記第三の信号を送信し、
前記第二の時間周波数領域内において、第四のシンボルで、前記第二のセルを介し、第三のサブ搬送波間隔を使用して前記第四の信号を送信するように構成され、
ここで、前記第二のサブ搬送波間隔は前記第三のサブ搬送波間隔と異なり、前記第一のセルは前記第二のセルと異なり、
前記第一の時間周波数領域と前記第二の時間周波数領域は時間領域が同じであり、周波数領域が同じ又は隣接し、前記第二の時間周波数領域のサイズはデータ信号の最小時間周波数スケジューリング単位のサイズであることを特徴とする
請求項１３又は１４に記載の装置。
【請求項１６】
前記処理ユニットはさらに基準信号である第五の信号及びデータ信号又は制御信号である第六の信号を取得するように構成され、
前記送信ユニットはさらに、
前記第一の時間周波数領域内において、第一のセルを介し、前記第一のシンボルで、前記第一のサブ搬送波間隔を使用して前記第一の信号を送信し、
前記第一の時間周波数領域内において、前記第一のセルを介し、前記第二のシンボルで、前記第二のサブ搬送波間隔を使用して前記第二の信号を送信し、
第三の時間周波数領域内において、第五のシンボルで、前記第一のセルを介して前記第一のサブ搬送波間隔を使用して前記第五の信号を送信し、
前記第三の時間周波数領域内において、第六のシンボルで、前記第一のセルを介し、第四のサブ搬送波間隔を使用して前記第六の信号を送信するように構成され、
ここで、前記第二のサブ搬送波間隔は前記第四のサブ搬送波間隔と異なり、
前記第一の時間周波数領域と前記第三の時間周波数領域は時間領域が同じであり、周波数領域が異なり、前記第三の時間周波数領域のサイズはデータ信号の最小時間周波数スケジューリング単位のサイズであることを特徴とする
請求項１３又は１４に記載の装置。
【請求項１７】
データ信号と制御信号は異なるサブ搬送波間隔に対応することを特徴とする
請求項１３乃至１６のいずれか一項に記載の装置。
【請求項１８】
前記処理ユニットはさらにデータ信号又は制御信号である第九の信号を取得するように構成され、
前記送信ユニットはさらに、
前記第一の時間周波数領域内において、前記第一のシンボルで、前記第一のサブ搬送波間隔によって第九の信号を送信するように構成されることを特徴とする
請求項１３乃至１７のいずれか一項に記載の装置。
【請求項１９】
情報伝送装置であって、
第一の時間周波数領域内において、第一のシンボルで、第一のサブ搬送波間隔を使用して送信された基準信号である第一の信号を受信し、前記第一の時間周波数領域内において、第二のシンボルで、第二のサブ搬送波間隔を使用して送信されたデータ信号又は制御信号である第二の信号を受信するように構成される受信ユニットと、
前記第一の信号と前記第二の信号を処理するように構成される処理ユニットとを備え、
ここで、前記第一のサブ搬送波間隔が前記第二のサブ搬送波間隔と異なり、前記第一の時間周波数領域のサイズがデータ信号又は制御信号の最小時間周波数スケジューリング単位のサイズである、情報伝送装置。
【請求項２０】
前記処理ユニットはさらに、
前記第一の信号を使用して前記第二の信号を復調するように構成されることを特徴とする
請求項１９に記載の装置。
【請求項２１】
前記受信ユニットはさらに、
前記第一の時間周波数領域内において、第一のセルを介し、前記第一のシンボルで、前記第一のサブ搬送波間隔を使用して送信された前記第一の信号を受信し、
前記第一の時間周波数領域内において、前記第一のセルを介し、前記第二のシンボルで、前記第二のサブ搬送波間隔で送信された前記第二の信号を受信し、
第二の時間周波数領域内において、第三のシンボルで、第二のセルを介し、前記第一のサブ搬送波間隔を使用して送信された基準信号である第三の信号を受信し、
前記第二の時間周波数領域内において、第四のシンボルで、前記第二のセルを介し、第三のサブ搬送波間隔を使用して送信されたデータ信号又は制御信号である第四の信号を受信するように構成され、
前記処理ユニットはさらに前記第三の信号と前記第四の信号を処理するように構成され、
ここで、前記第二のサブ搬送波間隔は前記第三のサブ搬送波間隔と異なり、前記第一のセルは前記第二のセルと異なり、
前記第一の時間周波数領域と前記第二の時間周波数領域は時間領域が同じであり、周波数領域が同じ又は隣接し、前記第二の時間周波数領域のサイズはデータ信号又は制御信号の最小時間周波数スケジューリング単位のサイズであることを特徴とする
請求項１９又は２０に記載の装置。
【請求項２２】
前記受信ユニットはさらに、
前記第一の時間周波数領域内において、第一のセルを介し、前記第一のシンボルで、前記第一のサブ搬送波間隔を使用して送信された前記第一の信号を受信し、
前記第一の時間周波数領域内において、前記第一のセルを介し、前記第二のシンボルで、前記第二のサブ搬送波間隔を使用して送信された前記第二の信号を受信し、
第三の時間周波数領域内において、第五のシンボルで、前記第一のセルを介し、前記第一のサブ搬送波間隔を使用して送信された基準信号である第五の信号を受信し、
前記第三の時間周波数領域内において、第六のシンボルで、前記第一のセルを介し、第四のサブ搬送波間隔を使用して送信されたデータ信号又は制御信号である第六の信号を受信するように構成され、
前記処理ユニットはさらに前記第五の信号と前記第六の信号を処理するように構成され、
ここで、前記第二のサブ搬送波間隔は前記第四のサブ搬送波間隔と異なり、
前記第一の時間周波数領域と前記第三の時間周波数領域は時間領域が同じであり、周波数領域が異なり、前記第三の時間周波数領域のサイズがデータ信号又は制御信号の最小時間周波数スケジューリング単位のサイズであることを特徴とする
請求項１９又は２０に記載の装置。
【発明の詳細な説明】
【技術分野】
【０００１】
本出願は通信分野に関し、且つより具体的には、情報伝送方法及び装置に関する。
【背景技術】
【０００２】
ネットワークの発展に伴い、サービスニーズが増加し続けており、サービスニーズの種類も増加し、従来のネットワーク標準通信プロトコルにおいてネットワーク装置と端末装置が統一されたパラメータセットを使用してデータを伝送し、例えば、通信プロトコルにおいて長期進化型（Ｌｏｎｇ  Ｔｅｒｍ  Ｅｖｏｌｕｔｉｏｎ：「ＬＴＥ」と略称）システムにおけるパラメータセットは、１つの無線フレームが１０ｍｓであり、１つの無線フレームに１０つのサブフレームが含まれ、１つのサブフレームに２つのタイムスロットが含まれ、１つのタイムスロットに７つのシンボルが含まれ、周波数における連続した１２つのサブ搬送波、時間領域における１つのタイムスロットが１つのリソースブロック（Ｒｅｓｏｕｒｃｅ  Ｂｌｏｃｋ：「ＲＢ」と略称）を構成し、各サブ搬送波間隔が１５ｋであり、周波数領域における１つのサブ搬送波、時間領域における１つのシンボルが１つのリソース要素（Ｒｅｓｏｕｒｃｅ  Ｅｌｅｍｅｎｔ：「ＲＥ」と略称）などと呼ばれるように規定され、サービスの多様性が現れるにつれ、データを伝送するのに１つのユニークなパラメータセットを使用する場合、異なるタイプのデータの伝送が制限され、通信性能が悪くなる。
【発明の概要】
【発明が解決しようとする課題】
【０００３】
本出願の実施例は、異なるサブ搬送波間隔を使用して基準信号とデータを伝送し、同じサブ搬送波間隔を有する基準信号を使用する、異なるサブ搬送波間隔を有するデータをサポートすることができ、基準信号間の干渉を抑制し、チャネル推定複雑さを低減し、それによって通信性能を向上することができる、情報伝送方法及び装置を提供する。
【課題を解決するための手段】
【０００４】
第一の態様による情報伝送方法は、
第一の送信側が第一の時間周波数領域内において、第一のシンボルで、第一のサブ搬送波間隔を使用して基準信号である第一の信号を送信することと、
該第一の送信側が該第一の時間周波数領域内において、第二のシンボルで、第二のサブ搬送波間隔を使用してデータ信号又は制御信号である第二の信号を送信することとを含み、ここで、
該第一のサブ搬送波間隔が該第二のサブ搬送波間隔と異なり、該第一の時間周波数領域のサイズがデータ信号の最小時間周波数スケジューリング単位のサイズである。
【０００５】
したがって、本出願の実施例では、データ信号又は制御信号のサブ搬送波間隔のサイズが基準信号に対応するサブ搬送波間隔と異なり、データと基準信号の独立した最適化が実現される。
【０００６】
一つの可能な実施形態では、該第一の信号は該第二の信号を復調するために受信側によって使用される。
【０００７】
一つの可能な実施形態では、該第一の送信側が第一の時間周波数領域内において、第一のシンボルで、第一のサブ搬送波間隔を使用して第一の信号を送信することは、該第一の送信側が該第一の時間周波数領域内において、第一のセルを介し、該第一のシンボルで、該第一のサブ搬送波間隔を使用して該第一の信号を送信することを含み、
該第一の送信側が該第一の時間周波数領域内において、第二のシンボルで、第二のサブ搬送波間隔を使用して第二の信号を送信することは、該第一の送信側が該第一の時間周波数領域内において、該第一のセルを介し、該第二のシンボルで、該第二のサブ搬送波間隔を使用して該第二の信号を送信することを含み、
該情報伝送方法はさらに、該第一の送信側が第二の時間周波数領域内において、第三のシンボルで、第二のセルを介して該第一のサブ搬送波間隔を使用して基準信号である第三の信号を送信することと、該第一の送信側が該第二の時間周波数領域内において、第四のシンボルで、該第二のセルを介し、第三のサブ搬送波間隔を使用してデータ信号又は制御信号である第四の信号を送信することとを含み、
ここで、該第二のサブ搬送波間隔が該第三のサブ搬送波間隔と異なり、該第一のセルが該第二のセルと異なり、
該第一の時間周波数領域と該第二の時間周波数領域は時間領域が同じで、周波数領域が同じ又は隣接し、該第二の時間周波数領域のサイズがデータ信号の最小時間周波数スケジューリング単位のサイズである。
【０００８】
したがって、直交又は低相関の設計を採用し、隣接又は同じ周波数帯域において、異なるサブ搬送波間隔を使用した基準信号間の深刻なサブ搬送波間干渉を回避し、チャネル推定の性能を保証するように、二つの隣接するセルのデータ信号又は制御信号に対して異なるサブ搬送波間隔を使用しても、それらの基準信号に対して同じサブ搬送波間隔を使用することができる。
【０００９】
一つの可能な実施形態では、該第一の送信側が第一の時間周波数領域内において、第一のシンボルで、第一のサブ搬送波間隔を使用して第一の信号を送信することは、該第一の送信側が該第一の時間周波数領域内において、第一のセルを介し、該第一のシンボルで、該第一のサブ搬送波間隔を使用して該第一の信号を送信することを含み、
該第一の送信側が該第一の時間周波数領域内において、第二のシンボルで、第二のサブ搬送波間隔を使用して第二の信号を送信することは、該第一の送信側が該第一の時間周波数領域内において、該第一のセルを介し、該第二のシンボルで、該第二のサブ搬送波間隔を使用して該第二の信号を送信することを含み、
該情報伝送方法はさらに、
該第一の送信側が第三の時間周波数領域内において、第五のシンボルで、該第一のセルを介して該第一のサブ搬送波間隔を使用して基準信号である第五の信号を送信することと、
該第一の送信側が該第三の時間周波数領域内において、第六のシンボルで、該第一のセルを介して第四のサブ搬送波間隔を使用してデータ信号又は制御信号である第六の信号を送信することとを含み、
ここで、該第二のサブ搬送波間隔が該第四のサブ搬送波間隔と異なり、
該第一の時間周波数領域と該第三の時間周波数領域は時間領域が同じで、周波数領域が異なり、該第三の時間周波数領域のサイズがデータ信号の最小時間周波数スケジューリング単位のサイズである。
【００１０】
したがって、直交又は低相関の設計を採用し、同一のセルにおいて異なるサブ搬送波間隔を使用した、隣接する時間周波数領域の基準信号間の深刻なサブ搬送波間干渉を回避し、チャネル推定の性能を保証するように、同一のセルの異なる時間周波数領域のデータ信号又は制御信号に対して異なるサブ搬送波間隔を使用しても、それらの基準信号に対して同じサブ搬送波間隔を使用する。
【００１１】
一つの可能な実施形態では、該情報伝送方法はさらに、
第二の送信側が第四の時間周波数領域内において、第七のシンボルで、該第一のサブ搬送波間隔を使用して基準信号である第七の信号を送信することと、
該第二の送信側が該第四の時間周波数領域内において、第八のシンボルで、第五のサブ搬送波間隔を使用してデータ信号又は制御信号である第八の信号を送信することとを含み、
ここで、該第一のサブ搬送波間隔が該第五のサブ搬送波間隔と異なり、
ここで、該第一の時間周波数領域と該第四の時間周波数領域は時間領域が同じであり、該第一の時間周波数領域と該第四の時間周波数領域は時間領域が同じであり、周波数領域が同じ又は隣接し、及び／又は、該第一の送信側と該第二の送信側が同じセルに位置し、該第四の時間周波数領域のサイズがデータ信号又は制御信号の最小時間周波数スケジューリング単位のサイズである。
【００１２】
一つの可能な実施形態では、データ信号又は制御信号は異なるサブ搬送波間隔に対応する。
【００１３】
一つの可能な実施形態では、該情報伝送方法はさらに、
該第一の時間周波数領域内において、該第一のシンボルで、該第一のサブ搬送波間隔によってデータ信号又は制御信号である第九の信号を送信することを含む。
【００１４】
一つの可能な実施形態では、該第九の信号と該第一の信号は周波数領域において交差して配列される。
【００１５】
第二の態様による情報伝送方法は、
受信側が第一の時間周波数領域内において、第一のシンボルで、第一のサブ搬送波間隔を使用して送信された基準信号である第一の信号を受信することと、
該受信側が該第一の時間周波数領域内において、第二のシンボルで、第二のサブ搬送波間隔を使用して送信されたデータ信号又は制御信号である第二の信号を受信することとを含み、ここで、
該第一のサブ搬送波間隔が該第二のサブ搬送波間隔と異なり、該第一の時間周波数領域のサイズがデータ信号又は制御信号の最小時間周波数スケジューリング単位のサイズである。
【００１６】
一つの可能な実施形態では、該情報伝送方法はさらに、
該受信側が該第一の信号を使用して該第二の信号を復調することを含む。
【００１７】
一つの可能な実施形態では、該受信側が第一の時間周波数領域内において、第一のシンボルで、第一のサブ搬送波間隔を使用して送信された第一の信号を受信することは、該受信側が該第一の時間周波数領域内において、第一のセルを介し、該第一のシンボルで、該第一のサブ搬送波間隔を使用して送信された該第一の信号を受信することを含み、
該受信側が該第一の時間周波数領域内において、第二のシンボルで、第二のサブ搬送波間隔を使用して送信された第二の信号を受信することは、該受信側が該第一の時間周波数領域内において、該第一のセルを介し、該第二のシンボルで、該第二のサブ搬送波間隔を使用して送信された該第二の信号を受信することを含み、
該情報伝送方法はさらに該受信側が第二の時間周波数領域内において、第三のシンボルで、第二のセルを介し、該第一のサブ搬送波間隔を使用して送信された基準信号である第三の信号を受信することと、該受信側が該第二の時間周波数領域内において、第四のシンボルで、該第二のセルを介し、第三のサブ搬送波間隔を使用して送信されたデータ信号又は制御信号である第四の信号を受信することとを含み、
ここで、該第二のサブ搬送波間隔が該第三のサブ搬送波間隔と異なり、該第一のセルが該第二のセルと異なり、
該第一の時間周波数領域と該第二の時間周波数領域は時間領域が同じで、周波数領域が同じ又は隣接し、該第二の時間周波数領域のサイズがデータ信号又は制御信号の最小時間周波数スケジューリング単位のサイズである。
【００１８】
一つの可能な実施形態では、該受信側が第一の時間周波数領域内において、第一のシンボルで、第一のサブ搬送波間隔を使用して送信された第一の信号を受信することは、該受信側が該第一の時間周波数領域内において、第一のセルを介し、該第一のシンボルで、該第一のサブ搬送波間隔を使用して送信された該第一の信号を受信することを含み、
該受信側が該第一の時間周波数領域内において、第二のシンボルで、第二のサブ搬送波間隔を使用して送信された第二の信号を受信することは、該受信側が該第一の時間周波数領域内において、該第一のセルを介し、該第二のシンボルで、該第二のサブ搬送波間隔を使用して送信された該第二の信号を受信することを含み、
該情報伝送方法はさらに、
該受信側が第三の時間周波数領域内において、第五のシンボルで、該第一のセルを介し、該第一のサブ搬送波間隔を使用して送信された基準信号である第五の信号を受信することと、
該受信側が該第三の時間周波数領域内において、第六のシンボルで、該第一のセルを介し、第四のサブ搬送波間隔を使用して送信されたデータ信号又は制御信号である第六の信号を受信することとを含み、
ここで、該第二のサブ搬送波間隔が該第四のサブ搬送波間隔と異なり、
該第一の時間周波数領域と該第三の時間周波数領域は時間領域が同じであり、周波数領域が異なり、該第三の時間周波数領域のサイズがデータ信号又は制御信号の最小時間周波数スケジューリング単位のサイズである。
【００１９】
第三の態様による情報伝送装置は、上記の第一の態様又は第一の態様のいずれかの選択可能な実施形態における方法を実行することに用いられる。具体的には、該情報伝送装置は上記の第一の態様又は第一の態様のいずれかの可能な実施形態における方法を実行するためのモジュールユニットを備える。
【００２０】
第四の態様による情報伝送装置は、上記の第二の態様又は第二の態様のいずれかの選択可能な実施形態における方法を実行することに用いられる。具体的には、該情報伝送装置は上記の第二の態様又は第二の態様のいずれかの可能な実施形態における方法を実行するためのモジュールユニットを備える。
【００２１】
第五の態様による情報伝送装置は、メモリとプロセッサを備え、該メモリが命令を記憶することに用いられ、該プロセッサが該メモリに記憶された命令を実行することに用いられ、且つ該プロセッサが該メモリに記憶された命令を実行する場合、該実行により該プロセッサが第一の態様又は第一の態様のいずれかの選択可能な実施形態における方法を実行する。
【００２２】
第六の態様による情報伝送装置は、メモリとプロセッサを備え、該メモリが命令を記憶することに用いられ、該プロセッサが該メモリに記憶された命令を実行することに用いられ、且つ該プロセッサが該メモリに記憶された命令を実行する場合、該実行により該プロセッサが第二の態様又は第二の態様のいずれかの選択可能な実施形態における方法を実行する。
【００２３】
第七の態様によるコンピュータ記憶媒体は、上記の第一の態様又は第一の態様のいずれかの選択可能な実施形態における方法を実行することを示すためのプログラムコードを記憶する。
【００２４】
第八の態様によるコンピュータ記憶媒体は、上記の第二の態様又は第二の態様のいずれかの選択可能な実施形態における方法を実行することを示すためのプログラムコードを記憶する。
【図面の簡単な説明】
【００２５】
【図１】本出願の実施例による応用シーンを示す図である。
【図２】本出願の実施例による情報伝送方法の概略フローチャートである。
【図３】本出願の実施例による概略的な時間周波数リソース使用図である。
【図４】本出願の実施例による情報伝送方法の概略フローチャートである。
【図５】本出願の実施例による概略的な時間周波数リソース使用図である。
【図６】本出願の実施例による概略的な時間周波数リソース使用図である。
【図７】本出願の実施例による情報伝送方法の概略フローチャートである。
【図８】本出願の実施例による情報伝送方法の概略フローチャートである。
【図９】本出願の実施例による情報伝送方法の概略フローチャートである。
【図１０】本出願の実施例による情報伝送装置の概略フローチャートである。
【図１１】本出願の実施例による情報伝送装置の概略フローチャートである。
【図１２】本出願の実施例による情報伝送装置の概略フローチャートである。
【発明を実施するための形態】
【００２６】
本出願の実施例の技術的解決策をより明確に説明するために、以下に実施例又は従来技術の説明に必要な図面を簡単に説明し、明らかに、以下に記載される図面は本出願のいくつかの実施例に過ぎず、当業者であれば、創造的な労力を要することなく、これらの図面に基づいて他の図面を得ることができる。
【００２７】
以下に本出願の実施例の図面を組み合わせながら、本出願の実施例における技術的解決策を明確に全面的に説明し、明らかに、説明される実施例は本出願の一部の実施例に過ぎず、全ての実施例ではない。本出願の実施例に基づき、当業者が創造的な労力を要せずに得た他の実施例は、全て本発明の保護範囲内に属する。
【００２８】
理解すべきものとして、本発明の実施例の技術的解決策は、様々な通信システム、例えばグローバルモバイル通信（Ｇｌｏｂａｌ  Ｓｙｓｔｅｍ  ｆｏｒ  Ｍｏｂｉｌｅ  Ｃｏｍｍｕｎｉｃａｔｉｏｎ：「ＧＳＭ」略称）システム、符号分割多元アクセス（Ｃｏｄｅ  Ｄｉｖｉｓｉｏｎ  Ｍｕｌｔｉｐｌｅ  Ａｃｃｅｓｓ：「ＣＤＭＡ」と略称）システム、帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：「ＷＣＤＭＡ」と略称）システム、汎用パケット無線サービス（Ｇｅｎｅｒａｌ  Ｐａｃｋｅｔ  Ｒａｄｉｏ  Ｓｅｒｖｉｃｅ：「ＧＰＲＳ」と略称）、長期進化型（Ｌｏｎｇ  Ｔｅｒｍ  Ｅｖｏｌｕｔｉｏｎ：「ＬＴＥ」と略称）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：「ＵＭＴＳ」と略称）などの現在の通信システム、及び特に将来の５Ｇシステムに応用されてもよい。
【００２９】
本出願の実施例における端末装置はユーザ機器（Ｕｓｅｒ  Ｅｑｕｉｐｍｅｎｔ：「ＵＥ」と略称）、アクセス端末、加入者ユニット、加入者局、移動局、移動サイト、遠隔局、遠隔端末、モバイル装置、ユーザ端末、端末、無線通信装置、ユーザエージェント又はユーザ装置であってもよい。アクセス端末は、セルラ電話、コードレス電話、セッション開始プロトコル（Ｓｅｓｓｉｏｎ  Ｉｎｉｔｉａｔｉｏｎ  Ｐｒｏｔｏｃｏｌ：「ＳＩＰ」と略称）電話、ワイヤレスローカルループ（Ｗｉｒｅｌｅｓｓ  Ｌｏｃａｌ  Ｌｏｏｐ：「ＷＬＬ」と略称）局、パーソナルデジタルアシスタント（Ｐｅｒｓｏｎａｌ  Ｄｉｇｉｔａｌ  Ａｓｓｉｓｔａｎｔ：「ＰＤＡ」と略称）、無線通信機能を有しているハンドヘルドデバイス、コンピューティングデバイス又は無線モデムに接続された他の処理デバイス、車載デバイス、ウェアラブルデバイス及び将来の５Ｇネットワークにおける端末装置又は将来の進化した公衆陸上モバイルネットワーク（Ｐｕｂｌｉｃ  Ｌａｎｄ  Ｍｏｂｉｌｅ  Ｎｅｔｗｏｒｋ：「ＰＬＭＮ」と略称）における端末装置などであってもよい。
【００３０】
本発明の実施例におけるネットワーク装置は端末装置と通信するための装置であってもよく、該ネットワーク装置はＧＳＭ又はＣＤＭＡにおける基地局（Ｂａｓｅ  Ｔｒａｎｓｃｅｉｖｅｒ  Ｓｔａｔｉｏｎ：「ＢＴＳ」と略称）であってもよいし、ＷＣＤＭＡシステムにおける基地局（ＮｏｄｅＢ：「ＮＢ」と略称）であってもよいし、ＬＴＥシステムにおける進化型基地局（Ｅｖｏｌｕｔｉｏｎａｌ  Ｎ  ｏｄｅＢ：「ｅＮＢ又はｅＮｏｄｅＢ」と略称）であってもよいし、クラウド無線アクセスネットワーク（Ｃｌｏｕｄ  Ｒａｄｉｏ  Ａｃｃｅｓｓ  Ｎｅｔｗｏｒｋ：「ＣＲＡＮ」と略称）シーンにおける無線コントローラであってもよく、又は該ネットワーク装置は中継局、アクセスポイント、車載デバイス、ウェアラブルデバイス及び将来の５Ｇネットワークにおけるネットワーク装置又は将来の進化したＰＬＭＮネットワークにおけるネットワーク装置などであってもよい。
【００３１】
図１は本出願の応用シーンを示す図である。図１における通信システム１００はネットワーク装置１１０と端末装置１２０を備える。ネットワーク装置１１０は端末装置１２０に通信サービスを提供してコアネットワークにアクセスすることに用いられ、端末装置１２０はネットワーク装置１１０から送信された同期信号、ブロードキャスト信号などをサーチしてネットワークにアクセスし、それによってネットワークと通信を行う。図１に示す矢印は端末装置１２０とネットワーク装置１１０の間のセルラリンクによるアップリンク／ダウンリンク伝送を表すことができる。本発明の実施例では、ネットワーク装置１１０は送信側であってもよいし、受信側であってもよく、端末装置は送信側であってもよいし、受信側であってもよい。
【００３２】
本出願の実施例では、信号を伝送する時に使用されるサブ搬送波間隔がシンボル長に反比例し、Ｔ＝１／Δｆであり、ここでＴがシンボル長であり、Δｆがサブ搬送波間隔である。例えば、サブ搬送波間隔が１５ｋＨｚである場合、シンボル長が６６．６７μｓである。本出願の実施例に記載されるサブ搬送波間隔は１５ｋＨｚ、３０ｋＨｚと６０ｋＨｚであるがこれらに限定されない。
【００３３】
図２は本出願の実施例による情報伝送方法２００の概略フローチャートである。図２に情報伝送方法のステップ又は操作が示されるが、これらのステップ又は操作は一例に過ぎず、本発明の実施例はさらに他の操作又は図２における各操作の変形を実行することができる。
【００３４】
２１０において、第一の送信側は第一の時間周波数領域内において、第一のシンボルで、第一のサブ搬送波間隔を使用して受信側へ基準信号である第一の信号を送信する。
【００３５】
２２０において、第一の送信側は第一の時間周波数領域内において、第二のシンボルで、第二のサブ搬送波間隔を使用して受信側へデータ信号又は制御信号である第二の信号を送信し、ここで、第一のサブ搬送波間隔が第二のサブ搬送波間隔と異なり、第一の時間周波数領域のサイズがデータ信号の最小時間周波数スケジューリング単位のサイズである。選択可能に、第一の信号は第二の信号をスケジューリングするために受信側によって使用されてもよい。
【００３６】
例えば、図３に示す時間周波数領域では、シンボル＃１、シンボル＃３、シンボル＃５とシンボル＃７で、サブ搬送波間隔６０ｋＨｚを使用して基準信号を送信することができ、シンボル＃２、シンボル＃４、シンボル＃６とシンボル＃８で、サブ搬送波間隔１５ｋＨｚを使用してデータ信号又は制御信号を送信することができる。
【００３７】
理解すべきものとして、本出願の実施例に記載される最小時間周波数スケジューリング単位はデータの最小時間周波数スケジューリング単位（例えばサブフレーム）、即ちユーザがデータを一回送信するための最小時間周波数リソースであり、該時間周波数スケジューリング単位内でデータ信号、基準信号と制御信号を伝送することができる。
【００３８】
これに対応して、本発明の実施例の受信側によって実行される情報伝送方法３００の概略フローチャートは図４に示される。理解すべきものとして、図４に情報伝送方法のステップ又は操作が示されるが、これらのステップ又は操作は一例に過ぎず、本発明の実施例は他の操作又は図３における各操作の変形を実行することができる。
【００３９】
３１０において、受信側は第一の時間周波数領域内において、第一のシンボルで、第一のサブ搬送波間隔を使用して送信された基準信号である第一の信号を受信し、
３２０において、前記受信側は前記第一の時間周波数領域内において、第二のシンボルで、第二のサブ搬送波間隔を使用して送信されたデータ信号又は制御信号である第二の信号を受信し、ここで、前記第一のサブ搬送波間隔が前記第二のサブ搬送波間隔と異なり、前記第一の時間周波数領域のサイズがデータ信号又は制御信号の最小時間周波数スケジューリング単位のサイズである。
【００４０】
選択可能に、受信側は第一の信号及び／又は第二の信号を受信した後、後続の処理を行い、例えば第一の信号を使用して第二の信号を復調することができ、具体的な処理操作は本出願の実施例において限定されない。
【００４１】
本出願の実施例に記載される時間周波数単位は時間領域次元の時間領域スケジューリング単位と周波数領域次元の周波数領域単位に分割されてもよい。
【００４２】
例えば、データ信号に対して、時間領域スケジューリング単位はタイムスロット、サブフレーム又は伝送時間間隔（ＴＴＩ：Ｔｒａｎｓｍｉｓｓｉｏｎ  Ｔｉｍｅ  Ｉｎｔｅｒｖａｌ）であってもよく、制御信号に対して、時間領域スケジューリング単位はシンボルであってもよい。データ信号に対して、周波数領域スケジューリング単位はサブ搬送波であってもよく、制御信号に対して、周波数領域スケジューリング単位はリソース要素グループ（ＲＥＧ：Ｒｅｓｏｕｒｃｅ  Ｅｌｅｍｅｎｔ  Ｇｒｏｕｐ）であってもよい。
【００４３】
本出願の実施例に記載される時間周波数スケジューリング単位は時間領域と周波数領域の２次元で限定されてもよく、例えば、データ信号に対して、最小の時間周波数スケジューリング単位はリソースブロック（ＲＢ：Ｒｅｓｏｕｒｃｅ  Ｂｌｏｃｋ）であってもよく、ここで、一つのＲＢが１つのサブフレーム×１２つのサブ搬送波であってもよい。
【００４４】
理解すべきものとして、上述した時間領域スケジューリング単位、周波数領域スケジューリング単位又は時間周波数領域スケジューリング単位の分割方式は本出願の実施例の具体的な実施形態に過ぎず、本出願の実施例では他の分割方式が可能である。
【００４５】
したがって、本出願の実施例では、データ信号又は制御信号の最小時間周波数スケジューリング単位のサイズが基準信号に対応するサブ搬送波間隔と異なり、サブ搬送波間隔の柔軟な設計が実現される。
【００４６】
具体的には、基準信号に対応するサブ搬送波間隔がデータ信号又は制御信号に対応するサブ搬送波間隔と異なってもよいので、データ信号又は制御信号に対応するサブ搬送波間隔を維持しながら基準信号に対応するサブ搬送波間隔を増大することができ、これにより、チャネル推定の遅延を短縮することができる。例えば、６０ｋＨｚのサブ搬送波間隔の基準信号のシンボル長が１５ｋＨｚのサブ搬送波間隔の基準信号のシンボル長の１／４であり、これにより、受信機はチャネル推定を５０μｄ早く開始することができ、低遅延性能を強調するサービスに対して、これは明らかな利点となり、一般的な伝送制御プロトコル（ＴＣＰ：Ｔｒａｎｓｍｉｓｓｉｏｎ  Ｃｏｎｔｒｏｌ  Ｐｒｏｔｏｃｏｌ）サービスに対しても、スループットを間接的に上げることもできる。６０ｋＨｚなどの大きなサブ搬送波間隔の主な欠点は、サイクリックプレフィックス（ＣＰ：Ｃｙｃｌｉｃ  Ｐｒｅｆｉｘ）オーバーヘッドが大き過ぎ、マクロセルカバレッジの場合において長いＣＰを挿入する必要があり、全てのデータ伝送に大きなサブ搬送波間隔を使用するため、スペクトル効率の損失が大きいことである。しかし、基準信号が少数のシンボルのみを占有するので、スペクトル効率の損失が大きくないが、遅延の短縮によるゲインは非常に明らかである。
【００４７】
選択可能に、本出願の実施例では、異なる端末、又は異なるセル、又は異なる周波数帯域に対して、対応する基準信号のサブ搬送波間隔は同じであってもよく、対応するデータ信号又は基準信号のサブ搬送波間隔は異なってもよい。
【００４８】
例えば、図５に示すように、領域＃１及び＃２は同じ時間領域と隣接する周波数領域に対応し、領域＃１と領域＃２における基準信号を送信するためのシンボルのサブ搬送波間隔は同じであり、領域＃１及び領域＃２における非基準信号の所在するシンボルのサブ搬送波間隔は異なる。
【００４９】
図６に示すように、領域＃１及び＃２は同じ時間周波数及び周波数領域に対応するが、異なるセル又は端末装置に対応し、領域＃１及び領域＃２における基準信号を送信するためのシンボルのサブ搬送波間隔は同じであり、領域＃１及び＃２の非基準信号の所在するシンボルのサブ搬送波間隔は異なる。
【００５０】
選択可能に、本出願の実施例の同じサブ搬送波間隔を有する基準信号に占有されるリソース粒子の時間周波数形状は同じである。
【００５１】
したがって、本出願の実施例では、異なるサブ搬送波間隔を使用してデータを伝送する複数の端末、又は複数のセル、又は複数の周波数帯域に対して、一種だけの基準信号パターン種類を設計することができ、送信機と受信機は一つの統一された基準信号送信及びチャネル推定アルゴリズムを実現することができ、標準と装置の複雑さが大幅に低下し、対応する、基準信号タイプを通知する制御シグナリングも大きく簡略化され、オーバーヘッドが大幅に削減される。
【００５２】
選択可能に、同じサブ搬送波間隔を有する基準信号に対して直交又は低相関シーケンスを使用することができる。
【００５３】
例えば、ネットワーク装置が２つのセルを使用して非基準信号に占有されたシンボルで送信したデータ信号（又は制御信号）のサブ搬送波間隔は異なり、同一のアンテナポートにおける基準信号のサブ搬送波間隔は同じであり、且つ基準信号に占有されたリソース粒子の時間周波数形状は同じである。選択可能に、該二つのセルの同一のアンテナポートにおける基準信号に対して直交又は低相関シーケンスを使用する。
【００５４】
理解すべきものとして、本出願の実施例に記載される時間周波数領域に対応する端末装置とは該時間周波数領域を使用して信号を送信する端末装置である。本出願の実施例に記載される時間周波数領域に対応するセルとは該時間周波数領域において情報を送信する時に使用されるセルであり、アップリンクに応用されてもよいし、ダウンリンクに応用されてもよい。
【００５５】
容易に理解するために、以下に図７−図９を参照して詳細に説明する。
【００５６】
理解すべきものとして、本出願の様々な実施例では、各プロセスの番号の大きさは実行順序を意味せず、各プロセスの実行順序はその機能と内部ロジックによって確定されるべきであり、本発明の実施例の実施プロセスのいかなる限定を構成すべきではない。
【００５７】
また、理解すべきものとして、本出願の実施例における各送信側の送信操作は受信側の受信操作に対応し、簡潔にするために、ここで説明を省略する。
【００５８】
図７は本出願の実施例による情報伝送方法４００の概略フローチャートである。ここで、図７に示す第一の時間周波数領域と第二の時間周波数領域は時間領域が同じであり、周波数領域が同じ又は隣接し、第一及び第二の時間周波数領域のサイズはデータ信号の最小時間周波数スケジューリング単位のサイズであり、第二のサブ搬送波間隔は第三のサブ搬送波間隔と異なる。
【００５９】
選択可能に、該方法はダウンリンク伝送に応用されてもよく、この時に、該第一の送信側はネットワーク装置であってもよく、受信側は端末装置であってもよく、ここで、異なる時間周波数領域に対応する受信側は同じ端末装置であってもよいし、異なる端末装置であってもよい。
【００６０】
当然、該方法はアップリンク伝送に応用されてもよく、この時に、送信側は端末装置であり、受信側はネットワーク装置であってもよく、ここで、異なる時間周波数領域に対応する受信側は同じネットワーク装置であってもよいし、異なるネットワーク装置であってもよい。
【００６１】
４１０において、第一の送信側は第一の時間周波数領域内において、第一のセルを介し、第一のシンボルで、第一のサブ搬送波間隔を使用して基準信号である第一の信号を送信する。
【００６２】
これに対応して、受信側は第一の時間周波数領域内において、第一のセルを介し、第一のシンボルで、第一のサブ搬送波間隔を使用して第一の信号を受信する。
【００６３】
４２０において、第一の送信側は第一の時間周波数領域内において、第一のセルを介し、第二のシンボルで、第二のサブ搬送波間隔を使用してデータ信号又は制御信号である第二の信号を送信する。
【００６４】
これに対応して、受信側は第一の時間周波数領域内において、第一のセルを介し、第二のシンボルで、第二のサブ搬送波間隔を使用して第二の信号を受信する。
【００６５】
４３０において、第一の送信側は第二の時間周波数領域内において、第三のシンボルで、第二のセルを介して第一のサブ搬送波間隔を使用して基準信号である第三の信号を送信する。
【００６６】
これに対応して、受信側は第二の時間周波数領域内において、第三のシンボルで、第二のセルを介して第一のサブ搬送波間隔を使用して第三の信号を受信する。
【００６７】
４４０において、第一の送信側は第二の時間周波数領域内において、第四のシンボルで、第二のセルを介し、第三のサブ搬送波間隔を使用してデータ信号又は制御信号である第四の信号を送信する。
【００６８】
これに対応して、受信側は第二の時間周波数領域内において、第四のシンボルで、第二のセルを介し、第三のサブ搬送波間隔を使用して第四の信号を受信する。
【００６９】
したがって、本出願の実施例では、同じ周波数帯域又は隣接する周波数帯域ではデータ信号又は制御信号に対して異なるサブ搬送波間隔を使用しても、基準信号に対して同じサブ搬送波間隔を使用し、これにより隣接する又は同じ周波数帯域において、異なるサブ搬送波間隔を使用する基準信号間に深刻なサブ搬送波間干渉が発生することを回避し、チャネル推定の性能を保証することができる。
【００７０】
図８は本出願の実施例による情報伝送方法５００の概略フローチャートである。ここで、図８に示す第一の時間周波数領域と第三の時間周波数領域は時間領域が同じであり、周波数領域が異なり、第一及び第三の時間周波数領域のサイズはデータ信号の最小時間周波数スケジューリング単位のサイズであり、第二のサブ搬送波間隔は第四のサブ搬送波間隔と異なる。
【００７１】
選択可能に、該方法はダウンリンク伝送に応用されてもよく、この時に、該第一の送信側はネットワーク装置であってもよく、受信側は端末装置であってもよく、ここで、異なる時間周波数領域に対応する受信側は同じ端末装置であってもよいし、異なる端末装置であってもよい。
【００７２】
当然、該方法はアップリンク伝送に応用されてもよく、この時に、送信側は端末装置であり、受信側はネットワーク装置であってもよい。
【００７３】
５１０で、第一の送信側は第一の時間周波数領域内において、第一のセルを介し、第一のシンボルで、第一のサブ搬送波間隔を使用して基準信号である第一の信号を送信する。
【００７４】
これに対応して、受信側は第一の時間周波数領域において、第一のセルを介し、第一のシンボルで、第一のサブ搬送波間隔を使用して第一の信号を受信する。
【００７５】
５２０において、第一の送信側は第一の時間周波数領域内において、第一のセルを介し、第二のシンボルで、第二のサブ搬送波間隔を使用してデータ信号又は制御信号である第二の信号を送信する。
【００７６】
これに対応して、受信側は第一の時間周波数領域内において、第一のセルを介し、第二のシンボルで、第二のサブ搬送波間隔を使用して第二の信号を受信する。
【００７７】
５３０において、第一の送信側は第三の時間周波数領域内において、第五のシンボルで、第一のセルを介して第一のサブ搬送波間隔を使用して基準信号である第五の信号を送信する。
【００７８】
これに対応して、受信側は第三の時間周波数領域内において、第五のシンボルで、第一のセルを介して第一のサブ搬送波間隔を使用して第五の信号を受信する。
【００７９】
５４０において、第一の送信側は第三の時間周波数領域内において、第六のシンボルで、第一のセルを介し、第四のサブ搬送波間隔を使用してデータ信号又は制御信号である第六の信号を送信する。選択可能に、第五の信号は第六の信号を復調するために受信側によって使用される。
【００８０】
これに対応して、受信側は第三の時間周波数領域内において、第六のシンボルで、第一のセルを介し、第四のサブ搬送波間隔を使用して第六の信号を受信する。
【００８１】
したがって、本出願の実施例では、同一のセルにおいて、データ信号又は制御信号に対して異なるサブ搬送波間隔を使用しても、基準信号に対して同じサブ搬送波間隔を使用し、これにより、同一のセルにおいて、異なるサブ搬送波間隔を使用する基準信号間に深刻なサブ搬送波間干渉が発生することを回避し、チャネル推定の性能を保証することができる。
【００８２】
図９は本出願の実施例による情報伝送方法６００の概略フローチャートである。ここで、図９に示す第一の時間周波数領域と第四の時間周波数領域は時間領域が同じであり、第一の時間周波数領域と第四の時間周波数領域は時間領域が同じであり、周波数領域が同じ又は隣接し、及び／又は、第一の送信側と第二の送信側は同じセルに位置し、第一及び第四の時間周波数領域のサイズはデータ信号の最小時間周波数スケジューリング単位のサイズであり、第二のサブ搬送波間隔は第五のサブ搬送波間隔と異なる。
【００８３】
選択可能に、該方法はアップリンク伝送に応用されてもよく、この時に、第一の送信側と第二の送信側は同じセルに位置してもよく、又は第一の送信側が信号を送信する第一の時間周波数領域と第二の送信側が情報を送信する第四の時間周波数領域は時間周波数が同じ又は隣接する。
【００８４】
選択可能に、該方法はダウンリンク伝送に応用されてもよく、この時に、第一の送信側が信号を送信する第一の時間周波数領域と第二の送信側が情報を送信する第四の時間周波数は時間周波数が同じ又は隣接し、この時に、第一の送信側と第二の送信側は異なるセルに対応してもよい。
【００８５】
６１０において、第一の送信側は第一の時間周波数領域内において、第一のシンボルで、第一のサブ搬送波間隔を使用して基準信号である第一の信号を送信する。
【００８６】
これに対応して、受信側は第一の時間周波数領域内において、第一のシンボルで、第一のサブ搬送波間隔を使用して第一の信号を受信する。
【００８７】
６２０において、第一の送信側は第一の時間周波数領域内において、第二のシンボルで、第二のサブ搬送波間隔を使用してデータ信号又は制御信号である第二の信号を送信する。
【００８８】
これに対応して、受信側は第一の時間周波数領域内において、第二のシンボルで、第二のサブ搬送波間隔を使用して第二の信号を受信する。
【００８９】
６３０において、第二の送信側は第四の時間周波数領域内において第七のシンボルで、第一のサブ搬送波間隔を使用して基準信号である第七の信号を送信する。
【００９０】
これに対応して、受信側は第四の時間周波数領域内において、第七のシンボルで、第一のサブ搬送波間隔を使用して第七の信号を受信する。
【００９１】
６４０において、第二の送信側は第四の時間周波数領域内において、第八のシンボルで、第五のサブ搬送波間隔を使用してデータ信号又は制御信号である第八の信号を送信する。選択可能に、第七の信号は第八の信号を復調するために受信側によって使用される。
【００９２】
これに対応して、受信側は第四の時間周波数領域内において、第八のシンボルで、第五のサブ搬送波間隔を使用して第八の信号を受信する。
【００９３】
選択可能に、本出願の実施例では、基準信号を送信するシンボルでも、データ信号又は制御信号を送信することができる。選択可能に、データ信号又は制御信号は基準信号と交差して配列することができる。
【００９４】
例えば、図３に示す時間周波数領域では、シンボル＃１、シンボル＃３、シンボル＃５とシンボル＃７で、サブ搬送波間隔６０ｋＨｚを使用してデータ信号又は制御信号を送信することができ、ここで、送信されたデータ信号又は制御信号は基準信号と周波数領域で交差して配列することができる。
【００９５】
理解すべきものとして、本出願の実施例に記載される交差配列は必ずしも一対一で順次交差して配列することではなく、基準信号の信号量とデータ信号（又は制御信号）の信号量との関係に応じて確定されてもよく、例えば、あるシンボルで、１番目のサブ搬送波によって基準信号を送信し、２番目、３番目及び４番目のサブ搬送波によってデータ又は制御信号を送信し、５番目のサブ搬送波によって基準信号を送信し、６番目、７番目と８番目のサブ搬送波によってデータ又は制御信号を送信し、これによって類推する。
【００９６】
図１０は本出願の実施例による情報伝送装置７００の概略ブロック図である。図１０に示すように、該装置７００は基準信号である第一の信号及びデータ信号又は制御信号である第二の信号を取得するように構成される処理ユニット７１０と、第一の時間周波数領域内において、第一のシンボルで、第一のサブ搬送波間隔を使用し、該第一の信号を送信し、該第一の時間周波数領域内において、第二のシンボルで、第二のサブ搬送波間隔を使用して第二の信号を送信するように構成される送信ユニット７２０とを備え、ここで、該第一のサブ搬送波間隔が該第二のサブ搬送波間隔と異なり、該第一の時間周波数領域のサイズがデータ信号の最小時間周波数スケジューリング単位のサイズである。
【００９７】
選択可能に、該第一の信号は該第二の信号を復調するために受信側によって使用される。
【００９８】
選択可能に、該処理ユニット７１０はさらに基準信号である第三の信号とデータ信号又は制御信号である第四の信号を取得するように構成される。該送信ユニット７２０はさらに該第一の時間周波数領域内において、第一のセルを介し、該第一のシンボルで、該第一のサブ搬送波間隔を使用して該第一の信号を送信し、該第一の時間周波数領域内において、該第一のセルを介し、該第二のシンボルで、該第二のサブ搬送波間隔を使用して該第二の信号を送信し、第二の時間周波数領域内において、第三のシンボルで、第二のセルを介して該第一のサブ搬送波間隔を使用して該第三の信号を送信し、該第二の時間周波数領域内において、第四のシンボルで、該第二のセルを介し、第三のサブ搬送波間隔を使用して該第四の信号を送信するように構成される。ここで、該第二のサブ搬送波間隔は該第三のサブ搬送波間隔と異なり、該第一のセルは該第二のセルと異なり、該第一の時間周波数領域と該第二の時間周波数領域は時間領域が同じであり、周波数領域が同じ又は隣接し、該第二の時間周波数領域のサイズはデータ信号の最小時間周波数スケジューリング単位のサイズである。
【００９９】
選択可能に、該処理ユニット７１０はさらに基準信号である第五の信号及びデータ信号又は制御信号である第六の信号を取得するように構成される。該送信ユニット７２０はさらに該第一の時間周波数領域内において、第一のセルを介し、該第一のシンボルで、該第一のサブ搬送波間隔を使用して該第一の信号を送信し、該第一の時間周波数領域内において、該第一のセルを介し、該第二のシンボルで、該第二のサブ搬送波間隔を使用して該第二の信号を送信し、第三の時間周波数領域内において、第五のシンボルで、該第一のセルを介して該第一のサブ搬送波間隔を使用して該第五の信号を送信し、該第三の時間周波数領域内において、第六のシンボルで、該第一のセルを介し、第四のサブ搬送波間隔を使用して該第六の信号を送信するように構成される。ここで、該第二のサブ搬送波間隔は該第四のサブ搬送波間隔と異なり、該第一の時間周波数領域と該第三の時間周波数領域は時間領域が同じであり、周波数領域が異なり、該第三の時間周波数領域のサイズはデータ信号の最小時間周波数スケジューリング単位のサイズである。
【０１００】
選択可能に、データ信号と制御信号は異なるサブ搬送波間隔に対応する。
【０１０１】
選択可能に、該処理ユニット７１０はさらにデータ信号又は制御信号である第九の信号を取得するように構成される。該送信ユニットはさらに該第一の時間周波数領域内において、該第一のシンボルで、該第一のサブ搬送波間隔によって第九の信号を送信するように構成される。
【０１０２】
該装置７００は上記方法の実施例における送信側に対応することができ、該送信側の対応する操作を実現することができ、簡潔にするために、ここで説明を省略する。
【０１０３】
図１１は本出願の実施例による情報伝送装置８００の概略ブロック図である。図１１に示すように、該装置８００は受信ユニット８１０と処理ユニット８２０を備える。
【０１０４】
受信ユニット８１０は、第一の時間周波数領域内において、第一のシンボルで、第一のサブ搬送波間隔を使用して送信された基準信号である第一の信号を受信し、該第一の時間周波数領域内において、第二のシンボルで、第二のサブ搬送波間隔を使用して送信されたデータ信号又は制御信号である第二の信号を受信するように構成される。処理ユニット８２０は、該第一の信号と該第二の信号を処理するように構成される。ここで、該第一のサブ搬送波間隔が該第二のサブ搬送波間隔と異なり、該第一の時間周波数領域のサイズがデータ信号又は制御信号の最小時間周波数スケジューリング単位のサイズである。
【０１０５】
選択可能に、該処理ユニット８２０はさらに該第一の信号を使用して該第二の信号を復調するように構成される。
【０１０６】
選択可能に、該受信ユニット８１０はさらに該第一の時間周波数領域内において、第一のセルを介し、該第一のシンボルで、該第一のサブ搬送波間隔を使用して送信された該第一の信号を受信し、該第一の時間周波数領域内において、該第一のセルを介し、該第二のシンボルで、該第二のサブ搬送波間隔で送信された該第二の信号を受信し、第二の時間周波数領域内において、第三のシンボルで、第二のセルを介し、該第一のサブ搬送波間隔を使用して送信された基準信号である第三の信号を受信し、該第二の時間周波数領域内において、第四のシンボルで、該第二のセルを介し、第三のサブ搬送波間隔を使用して送信されたデータ信号又は制御信号である第四の信号を受信するように構成される。該処理ユニット８２０はさらに該第三の信号と該第四の信号を処理するように構成される。ここで、該第二のサブ搬送波間隔は該第三のサブ搬送波間隔と異なり、該第一のセルは該第二のセルと異なり、該第一の時間周波数領域と該第二の時間周波数領域は時間領域が同じであり、周波数領域が同じ又は隣接し、該第二の時間周波数領域のサイズはデータ信号又は制御信号の最小時間周波数スケジューリング単位のサイズである。
【０１０７】
選択可能に、該受信ユニット８１０はさらに該第一の時間周波数領域内において、第一のセルを介し、該第一のシンボルで、該第一のサブ搬送波間隔を使用して送信された該第一の信号を受信し、該第一の時間周波数領域内において、該第一のセルを介し、該第二のシンボルで、該第二のサブ搬送波間隔を使用して送信された該第二の信号を受信し、第三の時間周波数領域内において、第五のシンボルで、該第一のセルを介し、該第一のサブ搬送波間隔を使用して送信された基準信号である第五の信号を受信し、該第三の時間周波数領域内において、第六のシンボルで、該第一のセルを介し、第四のサブ搬送波間隔を使用して送信されたデータ信号又は制御信号である第六の信号を受信するように構成され、該処理ユニット８２０はさらに該第五の信号と該第六の信号を処理するように構成され、ここで、該第二のサブ搬送波間隔は該第四のサブ搬送波間隔と異なり、該第一の時間周波数領域と該第三の時間周波数領域は時間領域が同じであり、周波数領域が異なり、該第三の時間周波数領域のサイズがデータ信号又は制御信号の最小時間周波数スケジューリング単位のサイズである。
【０１０８】
該装置８００は上記方法の実施例における受信側に対応することができ、該受信側の対応する操作を実現することができ、簡潔にするために、ここで説明を省略する。
【０１０９】
図１２は本出願の実施例による装置９００の概略ブロック図である。該装置９００はプロセッサ９１０、メモリ９２０と送受信機９３０を備える。メモリ９１０はプログラム命令を記憶することに用いられる。プロセッサ９１０はメモリ９２０に記憶されたプログラム命令を呼び出すことができる。送受信機９３０は外部通信に用いられる。選択可能に、装置９００はさらにプロセッサ９１０、メモリ９２０と送受信機９３０を相互に接続するバスシステム９４０を備える。
【０１１０】
選択可能に、該装置９００は上記方法の実施例における送信側に対応することができ、該送信側の対応する機能を実現することに用いられる。又は、上記方法の実施例における受信側に対応することができ、該受信側の対応する機能を実現することに用いられる。
【０１１１】
以下にまず装置９００が送信側として使用されることを例として説明する。
【０１１２】
具体的には、プロセッサ９１０はメモリ９２０に記憶された命令を呼び出し、以下の操作を実行することに用いられる：
送受信機９３０によって第一の時間周波数領域内において、第一のシンボルで、第一のサブ搬送波間隔を使用して基準信号である第一の信号を送信し、
送受信機９３０によって該第一の時間周波数領域内において、第二のシンボルで、第二のサブ搬送波間隔を使用してデータ信号又は制御信号である第二の信号を送信し、ここで、
該第一のサブ搬送波間隔が該第二のサブ搬送波間隔と異なり、該第一の時間周波数領域のサイズがデータ信号の最小時間周波数スケジューリング単位のサイズである。
【０１１３】
選択可能に、該第一の信号は該第二の信号を復調するために受信側によって使用される。
【０１１４】
選択可能に、プロセッサ９１０はメモリ９２０に記憶された命令を呼び出し、以下の操作を実行することに用いられる：送受信機９３０によって該第一の時間周波数領域内において、第一のセルを介し、該第一のシンボルで、該第一のサブ搬送波間隔を使用して該第一の信号を送信し、送受信機９３０によって該第一の時間周波数領域内において、第二のシンボルで、第二のサブ搬送波間隔を使用して第二の信号を送信することは、該第一の送信側が該第一の時間周波数領域内において、該第一のセルを介して該第二のシンボルで、該第二のサブ搬送波間隔を使用して該第二の信号を送信することを含み、送受信機９３０によって、第二の時間周波数領域内において、第三のシンボルで、第二のセルを介して該第一のサブ搬送波間隔を使用して基準信号である第三の信号を送信し、送受信機９３０によって該第二の時間周波数領域内において、第四のシンボルで、該第二のセルを介して第三のサブ搬送波間隔を使用してデータ信号又は制御信号である第四の信号を送信し、ここで、該第二のサブ搬送波間隔が該第三のサブ搬送波間隔と異なり、該第一のセルが該第二のセルと異なり、該第一の時間周波数領域と該第二の時間周波数領域は時間領域が同じで、周波数領域が同じ又は隣接し、該第二の時間周波数領域のサイズがデータ信号の最小時間周波数スケジューリング単位のサイズである。
【０１１５】
選択可能に、プロセッサ９１０はメモリ９２０に記憶された命令を呼び出し、以下の操作を実行することに用いられる：送受信機９３０によって該第一の時間周波数領域内において、第一のセルを介し、該第一のシンボルで、該第一のサブ搬送波間隔を使用して該第一の信号を送信し、送受信機９３０によって該第一の時間周波数領域内において、該第一のセルを介し、該第二のシンボルで、該第二のサブ搬送波間隔を使用して該第二の信号を送信し、送受信機９３０によって第三の時間周波数領域内において、第五のシンボルで、該第一のセルを介して該第一のサブ搬送波間隔を使用して基準信号である第五の信号を送信し、送受信機９３０によって該第三の時間周波数領域内において、第六のシンボルで、該第一のセルを介して第四のサブ搬送波間隔を使用してデータ信号又は制御信号である第六の信号を送信し、ここで、該第二のサブ搬送波間隔が該第四のサブ搬送波間隔と異なり、該第一の時間周波数領域と該第三の時間周波数領域は時間領域が同じで、周波数領域が異なり、該第三の時間周波数領域のサイズがデータ信号の最小時間周波数スケジューリング単位のサイズである。
【０１１６】
選択可能に、データ信号と制御信号は異なるサブ搬送波間隔に対応する。
【０１１７】
選択可能に、プロセッサ９１０はメモリ９２０に記憶された命令を呼び出し、以下の操作を実行することに用いられる：送受信機９３０によって該第一の時間周波数領域内において、該第一のシンボルで、該第一のサブ搬送波間隔によってデータ信号又は制御信号である第九の信号を送信する。
【０１１８】
選択可能に、該第九の信号と該第一の信号は周波数領域において交差して配列される。
【０１１９】
以下に装置９００が受信側として使用されることを例として説明する。
【０１２０】
プロセッサ９１０はメモリ９２０に記憶された命令を呼び出し、以下の操作を実行することに用いられる：送受信機９３０によって第一の時間周波数領域内において、第一のシンボルで、第一のサブ搬送波間隔を使用して送信された基準信号である第一の信号を受信し、送受信機９３０によって該第一の時間周波数領域内において、第二のシンボルで、第二のサブ搬送波間隔を使用して送信されたデータ信号又は制御信号である第二の信号を受信し、ここで、該第一のサブ搬送波間隔が該第二のサブ搬送波間隔と異なり、該第一の時間周波数領域のサイズがデータ信号又は制御信号の最小時間周波数スケジューリング単位のサイズである。
【０１２１】
選択可能に、プロセッサ９１０はメモリ９２０に記憶された命令を呼び出し、以下の操作を実行することに用いられる：該受信側が該第一の信号を使用して該第二の信号を復調する。
【０１２２】
選択可能に、プロセッサ９１０はメモリ９２０に記憶された命令を呼び出し、以下の操作を実行することに用いられる：送受信機９３０によって該第一の時間周波数領域内において、第一のセルを介し、該第一のシンボルで、該第一のサブ搬送波間隔を使用して送信された該第一の信号を受信し、送受信機９３０によって該第一の時間周波数領域内において、該第一のセルを介し、該第二のシンボルで、該第二のサブ搬送波間隔で送信された該第二の信号を受信し、送受信機９３０によって第二の時間周波数領域内において、第三のシンボルで、第二のセルを介し、該第一のサブ搬送波間隔を使用して送信された基準信号である第三の信号を受信し、送受信機９３０によって該第二の時間周波数領域内において、第四のシンボルで、該第二のセルを介し、第三のサブ搬送波間隔を使用して送信されたデータ信号又は制御信号である第四の信号を受信し、ここで、第二のサブ搬送波間隔が該第三のサブ搬送波間隔と異なり、該第一のセルが該第二のセルと異なり、該第一の時間周波数領域と該第二の時間周波数領域は時間領域が同じで、周波数領域が同じ又は隣接し、該第二の時間周波数領域のサイズがデータ信号又は制御信号の最小時間周波数スケジューリング単位のサイズである。
【０１２３】
選択可能に、プロセッサ９１０はメモリ９２０に記憶された命令を呼び出し、以下の操作を実行することに用いられる：送受信機９３０によって第一の時間周波数領域内において、第一のセルを介し、該第一のシンボルで、該第一のサブ搬送波間隔を使用して送信された該第一の信号を受信し、送受信機９３０によって該第一の時間周波数領域内において、該第一のセルを介し、該第二のシンボルで、該第二のサブ搬送波間隔を使用して送信された該第二の信号を受信し、送受信機９３０によって第三の時間周波数領域内において、第五のシンボルで、該第一のセルを介し、該第一のサブ搬送波間隔を使用して送信された基準信号である第五の信号を受信し、送受信機９３０によって該第三の時間周波数領域内において、第六のシンボルで、該第一のセルを介し、第四のサブ搬送波間隔を使用して送信されたデータ信号又は制御信号である第六の信号を受信し、ここで、該第二のサブ搬送波間隔が該第四のサブ搬送波間隔と異なり、該第一の時間周波数領域と該第三の時間周波数領域は時間領域が同じであり、周波数領域が異なり、該第三の時間周波数領域のサイズがデータ信号又は制御信号の最小時間周波数スケジューリング単位のサイズである。
【０１２４】
当業者であれば、本明細書に開示される実施例と組み合わせて説明された各例のユニット及びアルゴリズムステップは、電子ハードウェア、又はコンピュータソフトウェアと電子ハードウェアとの組み合わせで実現されてもよいと理解できる。これらの機能がハードウェア又はソフトウェアで実行されるかどうかは技術的解決策の特定アプリケーションと設計制約条件に依存する。当業者は各特定のアプリケーションに対して異なる方法を使用して説明された機能を実現することができるが、このような実現は本発明の範囲を超えていると考えられるべきではない。
【０１２５】
当業者は便宜上且つ簡潔に説明するために、上述したシステム、装置とユニットの具体的な動作プロセスについて上記方法の実施例における対応するプロセスを参照することができ、ここで説明を省略することを明確に理解することができる。
【０１２６】
本出願が提供するいくつかの実施例では、開示されるシステム、装置及び方法は他の方式により実現されてもよいと理解すべきである。例えば、上述した装置の実施例は例示的なものに過ぎず、例えば、該ユニットの区分はロジック機能的区分に過ぎず、実際に実施する時に他の区分方式もあり得る。例えば、複数のユニット又は部材は組み合わせられてもよく、又は他のシステムに統合されてもよく、又はいくつかの特徴は無視されてもよく、又は実行されなくてもよい。また、示される又は議論される相互結合又は直接結合又は通信接続はいくつかのインターフェース、装置又はユニットを介する間接的結合又は通信接続であってもよく、電気的、機械的又は他の形態であってもよい。
【０１２７】
分離部材として説明された前記ユニットは物理的に分離するものであってもよく又は物理的に分離するものでなくてもよく、ユニットとして表示された部材は物理的ユニットであってもよく又は物理的ユニットでなくてもよく、すなわち一つの箇所に位置してもよく、又は複数のネットワークユニットに分布してもよい。実際のニーズに応じてその中の一部又は全てのユニットを選択して本実施例の解決策の目的を達成することができる。
【０１２８】
また、本出願の各実施例における各機能ユニットは一つの処理ユニットに統合されてもよく、個々のユニットは単独で物理的に存在してもよく、２つ又は２つ以上のユニットは一つのユニットに統合されてもよい。
【０１２９】
前記機能ユニットがソフトウェア機能ニットの形態で実現され且つ独立した製品として販売又は使用される場合、一つのコンピュータ可読記憶媒体に格納されてもよい。このような理解に基づき、本出願の技術的解決策は本質的にソフトウェア製品の形態で実現されてもよく、又は従来技術に貢献する部分又は該技術的解決策の部分がソフトウェア製品の形態で実現されてもよく、該コンピュータソフトウェア製品は一つのコンピュータ装置（パーソナルコンピュータ、サーバ、又はネットワーク装置などあってもよい）に本出願の各実施例に記載の方法の全部又は一部のステップを実行させるためのいくつかの命令を含む記憶媒体に記憶される。前記記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０１３０】
以上は、本出願の具体的な実施形態に過ぎず、本発明の保護範囲はこれに制限されず、当業者が本発明に開示された技術範囲内で容易に想到し得る変化又は入れ替わりが全て本発明の保護範囲内に含まれるべきである。したがって、本発明の保護範囲は特許請求の範囲によって準拠するべきである。
【図１】
2019523571.tif 000003
【図２】
2019523571.tif 000004
【図３】
2019523571.tif 000005
【図４】
2019523571.tif 000006
【図５】
2019523571.tif 000007
【図６】
2019523571.tif 000008
【図７】
2019523571.tif 000009
【図８】
2019523571.tif 000010
【図９】
2019523571.tif 000011
【図１０】
2019523571.tif 000012
【図１１】
2019523571.tif 000013
【図１２】
2019523571.tif 000014
【手続補正書】
【提出日】平成30年12月26日(2018.12.26)
【手続補正１】
【補正対象書類名】特許請求の範囲
【補正対象項目名】全文
【補正方法】変更
【補正の内容】
【特許請求の範囲】
【請求項１】
情報伝送方法であって、
第一の送信側が第一の時間周波数領域内において、第一のシンボルで、第一のサブ搬送波間隔を使用して基準信号である第一の信号を送信することと、
前記第一の送信側が前記第一の時間周波数領域内において、第二のシンボルで、第二のサブ搬送波間隔を使用してデータ信号又は制御信号である第二の信号を送信することとを含み、ここで、
前記第一のサブ搬送波間隔が前記第二のサブ搬送波間隔と異なり、前記第一の時間周波数領域のサイズがデータ信号の最小時間周波数スケジューリング単位のサイズである、情報伝送方法。
【請求項２】
前記第一の信号は前記第二の信号を復調するために受信側によって使用されることを特徴とする
請求項１に記載の方法。
【請求項３】
前記第一の送信側が第一の時間周波数領域内において、第一のシンボルで、第一のサブ搬送波間隔を使用して第一の信号を送信することは、前記第一の送信側が前記第一の時間周波数領域内において、第一のセルを介し、前記第一のシンボルで、前記第一のサブ搬送波間隔を使用して前記第一の信号を送信することを含み、
前記第一の送信側が前記第一の時間周波数領域内において、第二のシンボルで、第二のサブ搬送波間隔を使用して第二の信号を送信することは、前記第一の送信側が前記第一の時間周波数領域内において、前記第一のセルを介し、前記第二のシンボルで、前記第二のサブ搬送波間隔を使用して前記第二の信号を送信することを含み、
前記方法はさらに、前記第一の送信側が第二の時間周波数領域内において、第三のシンボルで、第二のセルを介して前記第一のサブ搬送波間隔を使用して基準信号である第三の信号を送信することと、前記第一の送信側が前記第二の時間周波数領域内において、第四のシンボルで、前記第二のセルを介し、第三のサブ搬送波間隔を使用してデータ信号又は制御信号である第四の信号を送信することとを含み、
ここで、前記第二のサブ搬送波間隔が前記第三のサブ搬送波間隔と異なり、前記第一のセルが前記第二のセルと異なり、
前記第一の時間周波数領域と前記第二の時間周波数領域は時間領域が同じで、周波数領域が同じ又は隣接し、前記第二の時間周波数領域のサイズがデータ信号の最小時間周波数スケジューリング単位のサイズであることを特徴とする
請求項１又は２に記載の方法。
【請求項４】
前記第一の送信側が第一の時間周波数領域内において、第一のシンボルで、第一のサブ搬送波間隔を使用して第一の信号を送信することは、前記第一の送信側が前記第一の時間周波数領域内において、第一のセルを介し、前記第一のシンボルで、前記第一のサブ搬送波間隔を使用して前記第一の信号を送信することを含み、
前記第一の送信側が前記第一の時間周波数領域内において、第二のシンボルで、第二のサブ搬送波間隔を使用して第二の信号を送信することは、前記第一の送信側が前記第一の時間周波数領域内において、前記第一のセルを介し、前記第二のシンボルで、前記第二のサブ搬送波間隔を使用して前記第二の信号を送信することを含み、
前記方法はさらに、
前記第一の送信側が第三の時間周波数領域内において、第五のシンボルで、前記第一のセルを介して前記第一のサブ搬送波間隔を使用して基準信号である第五の信号を送信することと、
前記第一の送信側が前記第三の時間周波数領域内において、第六のシンボルで、前記第一のセルを介し、第四のサブ搬送波間隔を使用してデータ信号又は制御信号である第六の信号を送信することとを含み、
ここで、前記第二のサブ搬送波間隔が前記第四のサブ搬送波間隔と異なり、
前記第一の時間周波数領域と前記第三の時間周波数領域は時間領域が同じで、周波数領域が異なり、前記第三の時間周波数領域のサイズがデータ信号の最小時間周波数スケジューリング単位のサイズであることを特徴とする
請求項１又は２に記載の方法。
【請求項５】
前記方法はさらに、
第二の送信側が第四の時間周波数領域内において、第七のシンボルで、前記第一のサブ搬送波間隔を使用して基準信号である第七の信号を送信することと、
前記第二の送信側が前記第四の時間周波数領域内において、第八のシンボルで、第五のサブ搬送波間隔を使用してデータ信号又は制御信号である第八の信号を送信することとを含み、
ここで、前記第一のサブ搬送波間隔が前記第五のサブ搬送波間隔と異なり、
ここで、前記第一の時間周波数領域と前記第四の時間周波数領域は時間領域が同じであり、前記第一の時間周波数領域と前記第四の時間周波数領域は時間領域が同じであり、周波数領域が同じ又は隣接し、及び／又は、前記第一の送信側と前記第二の送信側が同じセルに位置し、前記第四の時間周波数領域のサイズがデータ信号又は制御信号の最小時間周波数スケジューリング単位のサイズであることを特徴とする
請求項１又は２に記載の方法。
【請求項６】
データ信号又は制御信号は異なるサブ搬送波間隔に対応することを特徴とする
請求項１乃至５のいずれか一項に記載の方法。
【請求項７】
前記方法はさらに、
前記第一の時間周波数領域内において、前記第一のシンボルで、前記第一のサブ搬送波間隔によってデータ信号又は制御信号である第九の信号を送信することを含むことを特徴とする
請求項１乃至６のいずれか一項に記載の方法。
【請求項８】
前記第九の信号と前記第一の信号は周波数領域において交差して配列されることを特徴とする
請求項７に記載の方法。
【請求項９】
情報伝送方法であって、
受信側が第一の時間周波数領域内において、第一のシンボルで、第一のサブ搬送波間隔を使用して送信された基準信号である第一の信号を受信することと、
前記受信側が前記第一の時間周波数領域内において、第二のシンボルで、第二のサブ搬送波間隔を使用して送信されたデータ信号又は制御信号である第二の信号を受信することとを含み、ここで、
前記第一のサブ搬送波間隔が前記第二のサブ搬送波間隔と異なり、前記第一の時間周波数領域のサイズがデータ信号又は制御信号の最小時間周波数スケジューリング単位のサイズである、情報伝送方法。
【請求項１０】
前記方法はさらに、
前記受信側が前記第一の信号を使用して前記第二の信号を復調することを含むことを特徴とする
請求項９に記載の方法。
【請求項１１】
前記受信側が第一の時間周波数領域内において、第一のシンボルで、第一のサブ搬送波間隔を使用して送信された第一の信号を受信することは、前記受信側が前記第一の時間周波数領域内において、第一のセルを介し、前記第一のシンボルで、前記第一のサブ搬送波間隔を使用して送信された前記第一の信号を受信することを含み、
前記受信側が前記第一の時間周波数領域内において、第二のシンボルで、第二のサブ搬送波間隔を使用して送信された第二の信号を受信することは、前記受信側が前記第一の時間周波数領域内において、前記第一のセルを介し、前記第二のシンボルで、前記第二のサブ搬送波間隔を使用して送信された前記第二の信号を受信することを含み、
前記方法はさらに前記受信側が第二の時間周波数領域内において、第三のシンボルで、第二のセルを介し、前記第一のサブ搬送波間隔を使用して送信された基準信号である第三の信号を受信することと、前記受信側が前記第二の時間周波数領域内において、第四のシンボルで、前記第二のセルを介し、第三のサブ搬送波間隔を使用して送信されたデータ信号又は制御信号である第四の信号を受信することとを含み、
ここで、前記第二のサブ搬送波間隔が前記第三のサブ搬送波間隔と異なり、前記第一のセルが前記第二のセルと異なり、
前記第一の時間周波数領域と前記第二の時間周波数領域は時間領域が同じで、周波数領域が同じ又は隣接し、前記第二の時間周波数領域のサイズがデータ信号又は制御信号の最小時間周波数スケジューリング単位のサイズであることを特徴とする
請求項９又は１０に記載の方法。
【請求項１２】
前記受信側が第一の時間周波数領域内において、第一のシンボルで、第一のサブ搬送波間隔を使用して送信された第一の信号を受信することは、前記受信側が前記第一の時間周波数領域内において、第一のセルを介し、前記第一のシンボルで、前記第一のサブ搬送波間隔を使用して送信された前記第一の信号を受信することを含み、
前記受信側が前記第一の時間周波数領域内において、第二のシンボルで、第二のサブ搬送波間隔を使用して送信された第二の信号を受信することは、前記受信側が前記第一の時間周波数領域内において、前記第一のセルを介し、前記第二のシンボルで、前記第二のサブ搬送波間隔を使用して送信された前記第二の信号を受信することを含み、
前記方法はさらに、
前記受信側が第三の時間周波数領域内において、第五のシンボルで、前記第一のセルを介し、前記第一のサブ搬送波間隔を使用して送信された基準信号である第五の信号を受信することと、
前記受信側が前記第三の時間周波数領域内において、第六のシンボルで、前記第一のセルを介し、第四のサブ搬送波間隔を使用して送信されたデータ信号又は制御信号である第六の信号を受信することとを含み、
ここで、前記第二のサブ搬送波間隔が前記第四のサブ搬送波間隔と異なり、
前記第一の時間周波数領域と前記第三の時間周波数領域は時間領域が同じであり、周波数領域が異なり、前記第三の時間周波数領域のサイズがデータ信号又は制御信号の最小時間周波数スケジューリング単位のサイズであることを特徴とする
請求項９又は１０に記載の方法。
【国際調査報告】
2019523571.tif 000015
2019523571.tif 000016
2019523571.tif 000017
2019523571.tif 000018
2019523571.tif 000019